(57)【要約】【課題】光ティスクのウォッブル信号記録方法およびそれによる光ディスクを提供する。【解決手段】光ディスクに記録されるアドレス情報のビットデータを少なくとも４以上のウォッブル単位にプリコーディングした後、ＢＰＳＫ方式で変調して光ティスクのランドまたはグルーブの信号トラックの両側辺に交互に記録し、グルーブの信号トラックの一側辺に記録されたウォッブル信号の位相とランドの信号トラックの一側辺に記録されたウォッブル信号の位相とが、連続的に異なる位相が配置されるのを防止し、ＡＳＫ方式ではグルーブの信号トラックの一側辺に記録されたウォッブル信号の振幅とランドの信号トラックの一側辺に記録されたウォッブル信号の振幅とが、連続的に異なる振幅となるのを防止し、これにより、プッシュプル信号に零レベルが連続する区間が存在しないようにし、ウォッブルＰＬＬの性能劣化および再生ＲＦ信号のノイズ発生などを最小限に抑える。【選択図】  図６
2006127760.tif 000002
【特許請求の範囲】
【請求項１】
光ディスクにおいて、
信号トラックは１つのグルーブトラックを含み、少なくとも前記グルーブトラックにはウォッブル信号が記録され、
ウォッブル信号のウォッブル単位は変調されて前記グルーブトラック上に記録され、少なくとも４以上のウォッブル単位がアドレス情報の中の“０”又は“１”のデータビットを表すために使用される一方、アドレス情報の中の“０”又は“１”のデータビットは、少なくとも相互に区別するために交互のデータビットに関して同じ位相と異なる位相を有する
ことを特徴とする光ディスク。
【請求項２】
請求項１において、
“０”と“１”のデータビットは、１つのウォッブル単位のみに異なる位相を有することを特徴とする光ディスク。
【請求項３】
請求項１において、
アドレス情報の中の“０”又は“１”のデータビットは、少なくとも２ｎ＋２（ｎは自然数）のウォッブル単位ごとに記録されることを特徴とする光ディスク。
【請求項４】
請求項１ないし３の何れかにおいて、
ウォッブル信号のウォッブル単位は、２進位相変調（ＢＰＳＫ）方式によって前記グルーブトラックに記録されることを特徴とする光ディスク。
【請求項５】
請求項１ないし３の何れかにおいて、
ウォッブル信号のウォッブル単位は、振幅変調（ＡＳＫ）方式によって前記グルーブトラックに記録されることを特徴とする光ディスク。
【請求項６】
光ディスクからウォッブル信号を検出する装置において、
ウォッブル信号が少なくともグルーブトラックに記録された前記光ディスクから前記ウォッブル信号を読み取る光ピックアップを備え、
ウォッブル信号のウォッブル単位が変調されて前記グルーブトラック上に記録され、少なくとも４以上のウォッブル単位がアドレス情報の中の“０”又は“１”のデータビットを表すために使用される一方、アドレス情報の中の“０”又は“１”のデータビットは、少なくとも相互に区別するために交互のデータビットに関して同じ位相と異なる位相を有し、
前記光ピックアップにより生成された信号から前記アドレス情報を検出する信号検出器を備える
ことを特徴とするウォッブル信号検出装置。
【請求項７】
請求項６において、
前記信号検出器はＰＬＬ回路を含むことを特徴とするウォッブル信号検出装置。
【発明の詳細な説明】
【技術分野】
【０００１】
本発明は、光ディスクおよび光ディスクのウォッブル信号を検出する装置に関する。
【背景技術】
【０００２】
一般に、ビデオおよびオーディオデータなどのような情報を記録する記録媒体としては光ディスクが広く使用されている。例えば、既に商用化したＣＤを含め、ＣＤ−ＲＯＭおよびＤＶＤ−ＲＯＭなどの再生専用光ディスク、ＣＤ−ＲおよびＤＶＤ−Ｒなどの１回のみ記録可能な光ディスク、そしてＣＤ−ＲＷ、ＤＶＤ−ＲＡＭ およびＤＶＤ−ＲＷなどの書き換え可能な光ディスクが普及または開発されてきている。
【０００３】
書き換え可能な光ディスクには、所望の記録位置にデータが記録できるようにするためにアドレス情報などを含む識別情報が予め記録されていなければならない。図１に示すように、ＣＤ−Ｒの光ディスクには、ランドの信号トラック１０とグルーブの信号トラック１２があり、また、アドレス情報を含む識別情報が周波数変調された搬送波信号に応じてグルーブの信号トラック１２にウォッブルされてプリフォーマットされている。
【０００４】
このようにウォッブリングされたグルーブの信号トラック１２から読み出されるウォッブル信号からアドレス情報が読み取られ、その読み取られたアドレス情報に基づいて光ディスクの特定の記録位置に所望のデータを記録することができる。
【０００５】
しかし、一般の光ディスクでは、アドレス情報がグルーブの信号トラック１２にのみ記録されるため、アドレス情報を記録できる記録容量が制限されていた。
【０００６】
一方、光ディスクのランドとグルーブの信号トラックの両方に情報が記録される光ディスクとして、図２に示すような光ディスク、例えばＤＶＤ−ＲＡＭが知られている。この光ディスクには、アドレス情報を含む識別情報がプリピット列１４の形態に記録されたヘッダフィールドと、同位相にウォッブルされたランドとグルーブの信号トラック１０、１２からなる記録フィールドとが含まれる。
【０００７】
しかし、このような方式の光ディスクには、プリピット列１４からなるヘッダフィールドに使用者の記録したいデータを記録できないため、使用者データの記録容量が制限される。
【０００８】
最近では、ランドとグルーブの信号トラックの両側辺にアドレス情報をウォッブル信号としていずれも記録できるようにして記録容量を最大化する方法が提案されたが、その詳細を下記に記す。
【０００９】
図３を参照すれば、そのディスクはランドとグルーブの信号トラック２０、２２が形成されており、そのランドとグルーブの信号トラックは、光ディスクの最内周から最外周まで螺旋状に並んで形成されるか、または、図４に示すように、一つの螺旋状の信号トラックとなるように最内周から最外周まで１回転ごとに交互に配列される。
【００１０】
一方、ランドとグルーブの信号トラックそれぞれは、所定区間ずつ両側辺が同位相にウォッブルされた同位相ウォッブル領域２４Ａと、両側辺が異なる位相にウォッブルされた逆位相ウォッブル領域２４Ｂが交互になる形で形成され、これら同位相ウォッブル領域と逆位相ウォッブル領域は信号トラックの幅方向で交互に配置される。
【００１１】
そして、斜線で表した同位相ウォッブル領域２４Ａは、両側辺にアドレス情報などを含む識別情報がプリフォーマットされた領域であって、識別情報が周波数変調された搬送波信号に応じて両側辺がウォッブルされる。この同位相ウォッブル領域が信号トラック２０、２２の進行方向と幅方向で逆位相ウォッブル領域２４Ｂと交互になるように配列されることによって逆位相ウォッブル領域２４Ｂの両側辺は異なる位相にウォッブルされる。
【００１２】
これにより、同位相ウォッブル領域上のウォッブル信号からアドレス情報が得られることになる。例えば、図３に示すように、同位相ウォッブル領域と逆位相ウォッブル領域が一つの情報記録単位、つまりフレームとして用いられる場合、逆位相ウォッブル領域の前または後に位置した同位相ウォッブ領域からアドレス情報が読み取られ、その読み取られたアドレス情報に基づいて使用者データが情報記録単位に記録される。
【００１３】
したがって、この種の方式の記録媒体では、ランドの信号トラックとグルーブの信号トラックの両方に情報が記録され、さらには記録可能な領域を全て活用できることになる。
【００１４】
しかし、前述のようにランドとグルーブの信号トラックにそれぞれウォッブル信号を記録する方式においは、アドレス情報の１ビットに１周期の信号を割り当て、その信号を位相変調して記録するため、光ピックアップのトラッキング状態によって有効なアドレスと有効でないアドレスが検出されることがある。
【００１５】
例えば、図５に示すように、光ピックアップのビームスポットがグルーブの信号トラックの両側辺に正常に形成された場合には、その両側辺に形成されたウォッブル信号の位相が互いに同位相となってそのウォッブル信号に該当する波形の信号レベルの増幅されたプッシュプル信号が正常に出力される。これにより、そのプッシュプル信号をスライスしたデジタルウォッブル信号が検出され、また零レベルの再生ＲＦ信号が出力される。しかし、光ピックアップのビームスポットがグルーブ信号トラックとランドの信号トラックに正常でなく形成された場合には、その両側辺に形成されたウォッブル信号の位相が互いに逆位相となることがある。こうなると、プッシュプル信号に対して零レベルが続く区間が生じてしまい、所定基準レベルにスライスされたデジタルウォッブル信号にはそれに相応する零レベルの区間が存在することになり、その結果、不規則な周期の信号が含まれるので、ウォッブルＰＬＬの性能が大幅に劣化するとともに、その所定区間において再生ＲＦ信号のノイズとして作用するという問題点があった。
【発明の開示】
【発明が解決しようとする課題】
【００１６】
したがって、本発明は、前記問題点に鑑みてなされたものであって、光ディスクの再生に際してプッシュプル信号に零レベルが続く区間が存在しないように、光ディスクのグルーブまたはランドの信号トラックの両側辺に光ディスクのアドレス情報であるウォッブル信号を記録する光ディスクのウォッブル信号記録方法およびそれによる光ディスクを提供することが目的である。
【課題を解決するための手段】
【００１７】
前記目的を達成する本発明による光ディスクのウォッブル信号記録方法は、光ディスクに記録されるアドレス情報のビットデータを少なくとも４以上のウォッブル単位にプリコーディングする第１段階と、前記４以上のウォッブル単位にプリコーディングされたウォッブルデータを変調し、光ティスクのランドとグルーブの一方又は双方の両側辺に交互に記録する第２段階と含むことを特徴とする。
【００１８】
また、本発明による光ディスクは、ランドとグルーブの信号トラックの両側辺にウォッブル信号が交互に全て記録されている光ディスクにおいて、前記グルーブの信号トラックの一側辺に記録されたウォッブル信号の位相と、前記ランドの信号トラックの一側辺に記録されたウォッブル信号の位相とが、逆位相のものが連続しないように変調記録されていることを特徴とする。
【００１９】
さらに、本発明による光ディスクは、ランドとグルーブの信号トラックの両側辺にウォッブル信号が交互に全て記録されている光ディスクにおいて、前記グルーブの信号トラックの一側辺に記録されたウォッブル信号の振幅と、前記ランドの信号トラックの一側辺に記録されたウォッブル信号の振幅とが、異なる振幅のものが連続しないように変調記録されていることを特徴とする。
【発明の効果】
【００２０】
本発明によれば、グルーブの信号トラックの一側辺に記録されたウォッブル信号の位相とランドの信号トラック一側辺に記録されたウォッブル信号の位相とが、連続的に異なる位相が出現するのを防止している。また、他の例では、グルーブの信号トラックの一側辺に記録されたウォッブル信号の振幅とランドの信号トラックの一側辺に記録されたウォッブル信号の振幅とが、連続的に異なる振幅を有することになるのを防止している。したがって、本発明は、プッシュプル信号に零レベルが連続する区間が存在しなくなり、ウォッブルＰＬＬの性能劣化および再生ＲＦ信号のノイズ発生などを最小限に抑えることができる。
【発明を実施するための最良の形態】
【００２１】
以下、本発明による光ディスクのウォッブル信号記録方法およびそれによる光ディスクに対する好ましい実施形態を添付図面を参照して詳細に説明する。
【００２２】
図６は、本発明による光ディスクウォッブル信号記録方法が適用されたウォッブル信号記録装置の実施形態の構成を示す図である。本ウォッブル信号記録装置は、プリコーダ３０、変調部３１およびウォッブル記録部３２を含めて構成される。
【００２３】
プリコーダ３０は、光ディスクに記録されるアドレス情報の１ビットデータを少なくとも４以上のウォッブル単位にプリコーディングする。変調部３１は、プリコーディングされた４以上のウォッブル単位のデータをＢＰＳＫ(Binary Phase Shift Keying；２進位相変調)方式によってウォッブル信号に変調する。ウォッブル記録部３２は、その変調されたＢＰＳＫ変調方式のウォッブル信号を書き換え可能な光ディスク３３に記録する。
【００２４】
一方、前記プリコーダ３０では、光ディスクに記録されるアドレス情報のビットデータを少なくとも４以上のウォッブル単位、すなわち２ｎ＋２(ｎは自然数)以上のウォッブル単位にプリコーディングする。つまり、例えば１６ウォッブル単位にプリコーディングする場合、１ビットのアドレス情報‘０’は“0000000100000001”にプリコーディングされ、１ビットのアドレス情報‘１’は“0000000000000001”にプリコーディングされるか、若しくは、前記１ビットのアドレス情報‘０’は“1111111101111110”にプリコーディングされ、１ビットのアドレス情報‘１’は“1111111111111110”にプリコーディングされる。
【００２５】
要するに、プリコーダ３０では、‘０’と‘１’のビットデータを１６ウォッブル単位にプリコーディングするが、その中で１単位のデータのみを異なる値にプリコーディングし、残り他の単位のデータはいずれも同一値にプリコーディングする。
【００２６】
そして、前記のように１ビットのアドレス情報‘０’が“0000000100000001”にプリコーディングされ、１ビットのアドレス情報‘１’が“0000000000000001”にプリコーディングされる場合、変調部３１では、その１６ウォッブル単位にプリコーディングされたデータを、図６に示すように、ＢＰＳＫ方式の変調信号として変調出力する。
【００２７】
このとき、‘０’に該当する変調信号と‘１’に該当する変調信号は中央の１単位のデータのみ異なる逆位相を有し、残りの単位のデータは互いに同一の位相を有することになる。
【００２８】
例えば、“10001000”のアドレス情報を１６ウォッブル単位にプリコーディングし、そのプリコーディングされた１６ウォッブル単位のデータをＢＰＳＫ方式によって変調記録する場合、書き換え可能な光ディスクには、図７に示すように、逆位相が連続しない変調信号がランドとグルーブの信号トラックの両側辺に交互に記録される。
【００２９】
したがって、図５を用いて先に述べたように、光ピックアップのビームスポットがグルーブの信号トラックの両側辺に正常に形成された場合には、その両側辺に形成されたウォッブル信号の位相が互いに同位相となってそのウォッブル信号に該当する波形の信号レベルの増幅されたプッシュプル信号が正常に出力されるので、そのプッシュプル信号をスライスしたデジタルウォッブル信号が検出され、零レベルの再生ＲＦ信号が出力される。
【００３０】
一方、図７に示すように、光ピックアップのビームスポットがグルーブの信号トラックとランドの信号トラックの両側辺に正常でなく形成された場合にも、その両側辺に形成されたウォッブル信号の位相は殆ど同位相となり、ただ中央の１単位のデータに該当する極一部だけが逆位相となることから、異なる逆位相が連続的に存在するのを防ぎ、結果として零レベルの存在する区間が極短いプッシュプル信号が検出されるため、ウォッブルＰＬＬの性能が劣化したり、再生ＲＦ信号にノイズとして作用したりするなどの問題を未然に防止することができる。
【００３１】
図８は、本発明の他の実施形態による光ディスクのウォッブル信号記録方法が適用されるウォッブル信号記録装置に対する構成を示す図である。本ウォッブル信号記録装置は、プリコーダ４０、変調部４１およびウォッブル記録部４２を含めて構成される。前記プリコーダ４０では、光ディスクに記録されるアドレス情報のビットデータを少なくとも４以上のウォッブル単位、つまり２ｎ＋２(ｎは自然数)以上のウォッブル単位にプリコーディングし、前記変調部４１では、その２ｎ＋２ウォッブル単位にプリコーディングされたデータを、図９に示すようにＡＳＫ(Amplitude Shift Keying；振幅変調)方式によって振幅変調する。
【００３２】
このとき、前記変調部４１によって変調されるビットデータ‘０’と‘１’は、殆ど同位相の同一振幅を有し、ただ中央の１単位のデータだけが異なる振幅を有する。例えば‘10001000’のアドレス情報を１６ウォッブル単位にプリコーディングし、そのプリコーディングされた１６ウォッブル単位のデータをＡＳＫ方式によって振幅変調して記録する場合、書き換え可能な光ディスクには、図９に示すように、零レベルの振幅が連続しないＡＳＫ変調信号がランドとグルーブの信号トラックの両側辺に交互に記録される。
【００３３】
したがって、光ピックアップのビームスポットがグルーブの信号トラックの両側辺に正常に形成された場合には、その両側辺に形成されたウォッブル信号の位相と振幅が互いに同一になることからそのウォッブル信号に該当する波形の信号レベルの増幅されたプッシュプル信号が正常に出力されるので、そのプッシュプル信号をスライスしたデジタルウォッブル信号が検出され、また零レベルの再生ＲＦ信号が出力される。
【００３４】
一方、図９に示すように、光ピックアップのビームスポットがグルーブの信号トラックとランドの信号トラックの両側辺に正常でなく形成された場合にも、その両側辺に形成されたウォッブル信号の位相および振幅は殆ど同位相となり、ただ中央の１単位のデータに該当する極一部だけが異なる振幅を有することから、異なる振幅を有する区間が連続して存在するのを防ぎ、結果として零レベルの存在する区間が極短いプッシュプル信号が検出されるので、ウォッブルＰＬＬの性能が劣化したり、再生ＲＦ信号にノイズとして作用したりする問題を未然に防止することができる。
【００３５】
本発明は、前述した典型的な好ましい実施形態に限定されるのではなく、本発明の思想を外れない範囲内で様々に改良、変更、代替または付加して実施できることは当業者にとって自明である。したがって、かかる改良、変更、代替または付加による実施が特許請求の範囲に属するものならばその技術思想も本発明に属すると言える。
【図面の簡単な説明】
【００３６】
【図１】一般のＣＤ−Ｒのような光ディスクに形成されたランドとグルーブの信号トラックを示す図。
【図２】一般のＤＶＤ−ＲＡＭのような光ディスクに形成されたランドとグルーブの信号トラックを示す図。
【図３】ランドとグルーブの両側辺にウォッブル信号が全て記録された光ディスクを示す図。
【図４】ランドとグルーブの両側辺にウォッブル信号が全て記録された光ディスクを示す図。
【図５】一般の位相変調方式によってウォッブル信号が記録された光ディスクから読み出されるフッジュプル信号、スライス信号、そして再生ＲＦ信号を示す波形図。
【図６】本発明による光ティスクのウォッブル信号記録方法が適用されるウォッブル信号記録装置に対する構成を示す図。
【図７】本発明による光ディスクから読み出されるプッシュプル信号、スライス信号、そして再生ＲＦ信号を示す波形図。
【図８】本発明の他の実施形態による光ディスクのウォッブル信号記録方法が適用されるウォッブル信号記録装置に対する構成を示す図。
【図９】本発明の他の実施形態による光ディスクから読み出されるプッシュプル信号、スライス信号、そして再生ＲＦ信号を示す波形図。
【符号の説明】
【００３７】
１０，２０…ランド、１２，２２…グルーブ、１４…プリピット列、２４Ａ…同位相ウォッブル領域、２４Ｂ…逆位相ウォッブル領域、３０，４０…プリコーダ、３１，４１…変調部、３２，４２…ウォッブル記録部、３３，４３…光ディスク。
【図１】
2006127760.tif 000003
【図２】
2006127760.tif 000004
【図３】
2006127760.tif 000005
【図４】
2006127760.tif 000006
【図５】
2006127760.tif 000007
【図６】
2006127760.tif 000008
【図７】
2006127760.tif 000009
【図８】
2006127760.tif 000010
【図９】
2006127760.tif 000011